(57)【要約】【課題】  無線ＬＡＮにおける電波状況の悪化により、ユーザの通話中にエコーが発生する場合であっても、ユーザがエコーによる不快感を覚えることなく、常に安定した通話品質を維持することを可能としたワイヤレスＩＰ電話機、ワイヤレスＩＰ電話システム、及び、それらの音声通信方法を提供する。【解決手段】  無線ＬＡＮを利用したワイヤレスＩＰ電話機１５において、ワイヤレスＩＰ電話機１５同士によるエンドツーエンドの通話中に、所定時間毎に遅延測定用パケットの伝送遅延量を検出し、該伝送遅延量が所定値以上である場合に、遅延発生状態と判断する遅延検出部８と、相手側のワイヤレスＩＰ電話機１５においてマイク音声信号が検出されたことを確認した場合に、上り音声信号パケットを送信停止とするパケット送信制御部６とを設ける。【選択図】  図１
2006041617.tif 000002
【特許請求の範囲】
【請求項１】
無線ＬＡＮを利用したワイヤレスＩＰ電話機同士によるエンドツーエンドの通話中において、所定時間毎に遅延測定用パケットの伝送遅延量を検出し、該伝送遅延量が所定値以上である場合に、遅延発生状態と判断する遅延検出部と、
相手側のワイヤレスＩＰ電話機においてマイク音声信号が検出されたことを確認した場合に、上り音声信号パケットを送信停止とするパケット送信制御部と、
を備えたことを特徴とするワイヤレスＩＰ電話機。
【請求項２】
前記上り音声信号パケットの送信時間を調整するためのパケット送信時間調整部を更に設けたことを特徴とする請求項１記載のワイヤレスＩＰ電話機。
【請求項３】
前記ワイヤレスＩＰ電話機において、ユーザにトークモードであることを了知させるためのトークモードランプを更に設けたことを特徴とする請求項１又は２に記載のワイヤレスＩＰ電話機。
【請求項４】
無線ＬＡＮを利用したワイヤレスＩＰ電話機同士によるエンドツーエンドの通話中において、所定時間毎に遅延測定用パケットの伝送遅延量を検出し、該伝送遅延量が所定値以上である場合に、遅延発生状態と判断する遅延検出部と、相手側のワイヤレスＩＰ電話機においてマイク音声信号が検出されたことを確認した場合に、上り音声信号パケットを送信停止とするパケット送信制御部と、を備えたワイヤレスＩＰ電話機を２以上備えたワイヤレスＩＰ電話機システムであって、
前記ワイヤレスＩＰ電話機において、前記遅延検出部により遅延発生状態と判断され、マイクからの音声信号が検出されたことを確認した場合に、相手側のワイヤレスＩＰ電話機のパケット送信制御部が上り音声信号パケットを送信停止とすることを特徴とするワイヤレスＩＰ電話システム。
【請求項５】
前記ワイヤレスＩＰ電話機において、前記遅延制御部により伝送遅延発生状態と判断された場合に、前記ワイヤレスＩＰ電話機は、相手側のワイヤレスＩＰ電話機に対して半２重モード開始要求通知を送信し、該通知を受信した相手側のワイヤレスＩＰ電話機は、前記ワイヤレスＩＰ電話機に対して半２重モード開始確認通知を送信してマイク音声信号検出待ちとなり、前記半２重モード開始確認通知を受信した前記ワイヤレスＩＰ電話機は、マイク音声信号検出待ちとなり、その後にマイク音声信号が検出されると、相手側のワイヤレスＩＰ電話機に対してマイク音声信号検出開始通知を送信し、該マイク音声信号検出開始通知を受信した相手側のワイヤレスＩＰ電話機は、スピーカモードとなり、パケット送信制御部により上り音声信号のパケット送信を停止し、前記ワイヤレスＩＰ電話機は、相手側のワイヤレスＩＰ電話機に対してマイク音声信号検出開始通知を送信した後に、上り音声信号のパケット送信停止を解除して、マイクから検出した音声信号を順次、パケット信号に変換し、該変換したパケット信号を相手側のワイヤレスＩＰ電話機に対して送信し、マイク音声信号が未検出となると、相手側ワイヤレスＩＰ電話機に対してマイク音声信号検出終了通知を送信してマイク音声検出待ち状態へ戻り、前記ワイヤレスＩＰ電話機からマイク音声信号検出終了通知を受信した相手側ワイヤレスＩＰ電話機は、スピーカモードからマイク音声検出待ち状態に戻ることを特徴とする請求項４記載のワイヤレスＩＰ電話システム。
【請求項６】
前記ワイヤレスＩＰ電話機の電波状況が改善し、前記ワイヤレスＩＰ電話機の遅延制御部において、遅延測定用パケットの伝送遅延量が所定値以下に減少し、伝送遅延が回復したと判断された場合に、前記ワイヤレスＩＰ電話機は、相手側のワイヤレスＩＰ電話機に対して半２重モード解除要求通知を送信し、該半２重モード解除要求通知を受信した相手側のワイヤレスＩＰ電話機は、前記ワイヤレスＩＰ電話機に対して半２重モード解除要求確認通知を送信して半２重モードを解除し、前記送信された半２重モード解除要求確認通知を受信した前記ワイヤレスＩＰ電話機は、半２重モードを解除することを特徴とする請求項４又は５に記載のワイヤレスＩＰ電話システム。
【請求項７】
前記上り音声信号パケットの送信時間を調整するためのパケット送信時間調整部を更に設けたことを特徴とする請求項４から６のいずれか１項に記載のワイヤレスＩＰ電話システム。
【請求項８】
前記ワイヤレスＩＰ電話機において、ユーザにトークモードであることを了知させるためのトークモードランプを更に設けたことを特徴とする請求項４から７のいずれか１項に記載のワイヤレスＩＰ電話システム。
【請求項９】
無線ＬＡＮを利用したワイヤレスＩＰ電話機同士によるエンドツーエンドの通話中において、遅延検出部により、所定時間毎に遅延測定用パケットの伝送遅延量を検出し、該伝送遅延量が所定値以上である場合に、遅延発生状態と判断する遅延検出工程と、
相手側のワイヤレスＩＰ電話機においてマイク音声信号が検出されたことを確認した場合に、パケット送信制御部により、上り音声信号パケットを送信停止とするパケット送信制御工程と、
を備えたことを特徴とするワイヤレスＩＰ電話機の音声通信方法。
【請求項１０】
前記上り音声信号パケットの送信時間を、パケット送信時間調整部により調整するパケット送信時間調整工程を更に備えたことを特徴とする請求項９記載のワイヤレスＩＰ電話機の音声通信方法。
【請求項１１】
前記ワイヤレスＩＰ電話機がトークモードとなった場合に、トークモードランプの点灯又は点滅により、ユーザにトークモードであることを了知させる工程を更に備えたことを特徴とする請求項９又は１０に記載のワイヤレスＩＰ電話機の音声通信方法。
【請求項１２】
無線ＬＡＮを利用したワイヤレスＩＰ電話機同士によるエンドツーエンドの通話中において、遅延検出部により、所定時間毎に遅延測定用パケットの伝送遅延量を検出し、該伝送遅延量が所定値以上である場合に、遅延発生状態と判断する遅延検出工程と、相手側のワイヤレスＩＰ電話機においてマイク音声信号が検出されたことを確認した場合に、パケット送信制御部により、上り音声信号パケットを送信停止とするパケット送信制御工程と、を備えたワイヤレスＩＰ電話機を２以上備えたワイヤレスＩＰ電話機システムの音声通信方法であって、
前記ワイヤレスＩＰ電話機において、前記遅延検出工程により遅延発生状態と判断され、マイクからの音声信号が検出されたことが確認された場合に、相手側のワイヤレスＩＰ電話機において、該ワイヤレスＩＰ電話機のパケット送信制御部が、上り音声信号パケットを送信停止とする工程を備えたことを特徴とするワイヤレスＩＰ電話システムの音声通信方法。
【請求項１３】
前記ワイヤレスＩＰ電話機において、前記遅延検出工程により伝送遅延発生状態と判断された場合に、前記ワイヤレスＩＰ電話機は、相手側のワイヤレスＩＰ電話機に対して半２重モード開始要求通知を送信する工程と、
該通知を受信した相手側のワイヤレスＩＰ電話機は、前記ワイヤレスＩＰ電話機に対して半２重モード開始確認通知を送信してマイク音声信号検出待ちとなる工程と、
前記半２重モード開始確認通知を受信した前記ワイヤレスＩＰ電話機は、マイク音声信号検出待ちとなり、その後にマイク音声信号が検出されると、相手側のワイヤレスＩＰ電話機に対してマイク音声信号検出開始通知を送信する工程と、
該マイク音声信号検出開始通知を受信した相手側のワイヤレスＩＰ電話機は、スピーカモードとなり、パケット送信制御部により上り音声信号のパケット送信を停止する工程と、
前記ワイヤレスＩＰ電話機は、相手側のワイヤレスＩＰ電話機に対してマイク音声信号検出開始通知を送信した後に、上り音声信号のパケット送信停止を解除して、マイクから検出した音声信号を順次、パケット信号に変換し、該変換したパケット信号を相手側のワイヤレスＩＰ電話機に対して送信し、マイク音声信号が未検出となると、相手側ワイヤレスＩＰ電話機に対してマイク音声信号検出終了通知を送信してマイク音声検出待ち状態へ戻る工程と、
前記ワイヤレスＩＰ電話機からマイク音声信号検出終了通知を受信した相手側ワイヤレスＩＰ電話機は、スピーカモードからマイク音声検出待ち状態に戻る工程と、
を備えたことを特徴とする請求項１２記載のワイヤレスＩＰ電話システムの音声通信方法。
【請求項１４】
前記ワイヤレスＩＰ電話機の電波状況が改善し、前記ワイヤレスＩＰ電話機の遅延制御部において、遅延測定用パケットの伝送遅延量が所定値以下に減少し、伝送遅延が回復したと判断された場合に、前記ワイヤレスＩＰ電話機は、相手側のワイヤレスＩＰ電話機に対して半２重モード解除要求通知を送信する工程と、
該半２重モード解除要求通知を受信した相手側のワイヤレスＩＰ電話機は、前記ワイヤレスＩＰ電話機に対して半２重モード解除要求確認通知を送信して半２重モードを解除する工程と、
前記送信された半２重モード解除要求確認通知を受信した前記ワイヤレスＩＰ電話機は、半２重モードを解除する工程と、
を備えたことを特徴とする請求項１２又は１３に記載のワイヤレスＩＰ電話システムの音声通信方法。
【請求項１５】
前記上り音声信号パケットの送信時間を、パケット送信時間調整部により調整するパケット送信時間調整工程を更に備えたことを特徴とする請求項１２から１４のいずれか１項に記載のワイヤレスＩＰ電話システムの音声通信方法。
【請求項１６】
前記ワイヤレスＩＰ電話機がトークモードとなった場合に、トークモードランプの点灯又は点滅により、ユーザにトークモードであることを了知させる工程を更に備えたことを特徴とする請求項１２から１５のいずれか１項に記載のワイヤレスＩＰ電話システムの音声通信方法。
【発明の詳細な説明】
【技術分野】
【０００１】
本発明は、無線ＬＡＮを利用したワイヤレスＩＰ電話機、ワイヤレスＩＰ電話システム、及び、それらの音声通信方法に関する。
【背景技術】
【０００２】
従来、無線公衆網による音声通信手段としては、物流トラックなどの車両に搭載する、ＭＣＡ（Multi Channel Access）無線や、業務用無線、携帯電話等がある。また、米国では携帯電話において、プッシュトウトークによる複数のユーザと通信が可能な多元的通話サービスを実現している。これは、携帯電話のデータチャネルを利用してユーザ同士において、トランシーバのごとき、半２重通話を行うものである。
【０００３】
ところで、上述のＭＣＡ無線、業務用無線等による音声通話では、ユーザ一人が通話チャネルを占有する時間が限られ、長時間の通話をすることができず、また、携帯電話と比較して、サービスエリアが狭いという欠点がある。
一方、携帯電話は、ＭＣＡ無線等と比較してサービスエリアが広いという反面、呼接続（無線回線が接続）されている限り、ユーザが話しをしているか否かに関わらず、呼が接続されている時間によって課金されるためコスト高であるという欠点がある。
【０００４】
また、上述の携帯電話におけるプッシュトウトークでは、通常の電話プロトコルと異なり、通話をする者同士がセッションを張った状態では、呼び出し動作をせずに、随時、通話が可能となり、しかも非常に安価な定額料金でサービスをうけることができるが、携帯電話のネットワークシステムにおいて音声メッセージ用に専用チャネルを用意する必要があり、携帯電話事業者がサービスを行っていない場合は利用できない。
【０００５】
ところで、近年、電気通信技術の発達により、ＩＰプロトコルによるインターネット通信技術を利用したＩＰ電話が普及し、無線ＬＡＮを利用したワイヤレスＩＰ電話が出現している。このＩＰ電話及びワイヤレスＩＰ電話は、従来の携帯電話と比較して、特に通信費用が低額で済むという点が利点である。
【０００６】
一方、特許文献１には、非同期伝送網を介してデータを送信側から受信側に伝送させる通信ネットワークにおいて、該伝送により生ずる遅延時間を測定する技術が開示されている。
【特許文献１】特開２００１−２４４９３２号公報
【発明の開示】
【発明が解決しようとする課題】
【０００７】
しかしながら、無線ＬＡＮを利用したワイヤレスＩＰ電話機の場合、有線ブロードバンドなどに比べると帯域幅に制限があり、無線を利用するため、その通話品質は常に電波の状況に左右される。特に、電波の状況が悪化するとエラーレートが高くなり、その影響により音声信号パケットの伝送遅延量が増加し、音声が不自然に聞こえたり、特に、ハンズフリータイプのワイヤレスＩＰ電話機ではエコーが発生するなど通話品質が著しく悪化することがあるため問題であった。
【０００８】
ここで、上述のエコーについて具体的に説明すると、まず、ワイヤレスＩＰ電話機において、ユーザが発した音声が、マイクから音声信号パケットとして相手側のワイヤレスＩＰ電話機まで伝送され、相手側のワイヤレスＩＰ電話機のスピーカから音声として出力されるが、相手側のワイヤレスＩＰ電話機のマイクが、受信音声の一部を拾い、そのままユーザのワイヤレスＩＰ電話機に逆伝送される場合がある。
【０００９】
この場合、ユーザは、ワイヤレスＩＰ電話機の伝送経路を介して自己が発した音声を聞くことになる。このとき、伝送経路を介してユーザが聞き取る音声は、自己の発した音声と比べて、音声信号パケットの遅延量に応じた時間的遅れを伴って、いわゆるエコー（自分の話している声が反響して聞こえる。）として認識されることになる。
【００１０】
本発明は、上記のような問題点に鑑み、無線ＬＡＮを利用したワイヤレスＩＰ電話機同士によるエンドツーエンドの通信において、ユーザの通話中に電波状況の悪化によりエコーが発生する場合であっても、ユーザがエコーによる不快感を覚えることなく、常に安定した通話品質を維持することを可能としたワイヤレスＩＰ電話機、ワイヤレスＩＰ電話システム、及び、それらの音声通信方法を提供することを目的とする。
【課題を解決するための手段】
【００１１】
請求項１記載の発明は、無線ＬＡＮを利用したワイヤレスＩＰ電話機同士によるエンドツーエンドの通話中において、所定時間毎に遅延測定用パケットの伝送遅延量を検出し、該伝送遅延量が所定値以上である場合に、遅延発生状態と判断する遅延検出部と、相手側のワイヤレスＩＰ電話機においてマイク音声信号が検出されたことを確認した場合に、上り音声信号パケットを送信停止とするパケット送信制御部とを備えたワイヤレスＩＰ電話機としたことを特徴とする。
【００１２】
請求項２記載の発明は、前記上り音声信号パケットの送信時間を調整するためのパケット送信時間調整部を更に設けた請求項１記載のワイヤレスＩＰ電話機としたことを特徴とする。
【００１３】
請求項３記載の発明は、前記ワイヤレスＩＰ電話機において、ユーザにトークモードであることを了知させるためのトークモードランプを更に設けた請求項１又は２に記載のワイヤレスＩＰ電話機としたことを特徴とする。
【００１４】
請求項４記載の発明は、無線ＬＡＮを利用したワイヤレスＩＰ電話機同士によるエンドツーエンドの通話中において、所定時間毎に遅延測定用パケットの伝送遅延量を検出し、該伝送遅延量が所定値以上である場合に、遅延発生状態と判断する遅延検出部と、相手側のワイヤレスＩＰ電話機においてマイク音声信号が検出されたことを確認した場合に、上り音声信号パケットを送信停止とするパケット送信制御部と、を備えたワイヤレスＩＰ電話機を２以上備えたワイヤレスＩＰ電話システムであって、前記ワイヤレスＩＰ電話機において、前記遅延検出部により遅延発生状態と判断され、マイクからの音声信号が検出されたことを確認した場合に、相手側のワイヤレスＩＰ電話機のパケット送信制御部が上り音声信号パケットを送信停止とするワイヤレスＩＰ電話システムとしたことを特徴とする。
【００１５】
請求項５記載の発明は、前記ワイヤレスＩＰ電話機において、前記遅延制御部により伝送遅延発生状態と判断された場合に、前記ワイヤレスＩＰ電話機は、相手側のワイヤレスＩＰ電話機に対して半２重モード開始要求通知を送信し、該通知を受信した相手側のワイヤレスＩＰ電話機は、前記ワイヤレスＩＰ電話機に対して半２重モード開始確認通知を送信してマイク音声信号検出待ちとなり、前記半２重モード開始確認通知を受信した前記ワイヤレスＩＰ電話機は、マイク音声信号検出待ちとなり、その後にマイク音声信号が検出されると、相手側のワイヤレスＩＰ電話機に対してマイク音声信号検出開始通知を送信し、該マイク音声信号検出開始通知を受信した相手側のワイヤレスＩＰ電話機は、スピーカモードとなり、パケット送信制御部により上り音声信号のパケット送信を停止し、前記ワイヤレスＩＰ電話機は、相手側のワイヤレスＩＰ電話機に対してマイク音声信号検出開始通知を送信した後に、上り音声信号のパケット送信停止を解除して、マイクから検出した音声信号を順次、パケット信号に変換し、該変換したパケット信号を相手側のワイヤレスＩＰ電話機に対して送信し、マイク音声信号が未検出となると、相手側ワイヤレスＩＰ電話機に対してマイク音声信号検出終了通知を送信してマイク音声検出待ち状態へ戻り、前記ワイヤレスＩＰ電話機からマイク音声信号検出終了通知を受信した相手側ワイヤレスＩＰ電話機は、スピーカモードからマイク音声検出待ち状態に戻る請求項４記載のワイヤレスＩＰ電話システムとしたことを特徴とする。
【００１６】
請求項６記載の発明は、前記ワイヤレスＩＰ電話機の電波状況が改善し、前記ワイヤレスＩＰ電話機の遅延制御部において、遅延測定用パケットの伝送遅延量が所定値以下に減少し、伝送遅延が回復したと判断された場合に、前記ワイヤレスＩＰ電話機は、相手側のワイヤレスＩＰ電話機に対して半２重モード解除要求通知を送信し、該半２重モード解除要求通知を受信した相手側のワイヤレスＩＰ電話機は、前記ワイヤレスＩＰ電話機に対して半２重モード解除要求確認通知を送信して半２重モードを解除し、前記送信された半２重モード解除要求確認通知を受信した前記ワイヤレスＩＰ電話機は、半２重モードを解除する請求項４又は５に記載のワイヤレスＩＰ電話システムとしたことを特徴とする。
【００１７】
請求項７記載の発明は、前記上り音声信号パケットの送信時間を調整するためのパケット送信時間調整部を更に設けた請求項４から６のいずれか１項に記載のワイヤレスＩＰ電話システムとしたことを特徴とする。
【００１８】
請求項８記載の発明は、前記ワイヤレスＩＰ電話機において、ユーザにトークモードであることを了知させるためのトークモードランプを更に設けた請求項４から７のいずれか１項に記載のワイヤレスＩＰ電話システムとしたことを特徴とする。
【００１９】
請求項９記載の発明は、無線ＬＡＮを利用したワイヤレスＩＰ電話機同士によるエンドツーエンドの通話中において、遅延検出部により、所定時間毎に遅延測定用パケットの伝送遅延量を検出し、該伝送遅延量が所定値以上である場合に、遅延発生状態と判断する遅延検出工程と、相手側のワイヤレスＩＰ電話機においてマイク音声信号が検出されたことを確認した場合に、パケット送信制御部により、上り音声信号パケットを送信停止とするパケット送信制御工程とを備えたワイヤレスＩＰ電話機の音声通信方法としたことを特徴とする。
【００２０】
請求項１０記載の発明は、前記上り音声信号パケットの送信時間を、パケット送信時間調整部により調整するパケット送信時間調整工程を更に備えた請求項９記載のワイヤレスＩＰ電話機の音声通信方法としたことを特徴とする。
【００２１】
請求項１１記載の発明は、前記ワイヤレスＩＰ電話機がトークモードとなった場合に、トークモードランプの点灯又は点滅により、ユーザにトークモードであることを了知させる工程を更に備えた請求項９又は１０に記載のワイヤレスＩＰ電話機の音声通信方法としたことを特徴とする。
【００２２】
請求項１２記載の発明は、無線ＬＡＮを利用したワイヤレスＩＰ電話機同士によるエンドツーエンドの通話中において、遅延検出部により、所定時間毎に遅延測定用パケットの伝送遅延量を検出し、該伝送遅延量が所定値以上である場合に、遅延発生状態と判断する遅延検出工程と、相手側のワイヤレスＩＰ電話機においてマイク音声信号が検出されたことを確認した場合に、パケット送信制御部により、上り音声信号パケットを送信停止とするパケット送信制御工程と、を備えたワイヤレスＩＰ電話機を２以上備えたワイヤレスＩＰ電話システムの音声通信方法であって、前記ワイヤレスＩＰ電話機において、前記遅延検出工程により遅延発生状態と判断され、マイクからの音声信号が検出されたことが確認された場合に、相手側のワイヤレスＩＰ電話機において、該ワイヤレスＩＰ電話機のパケット送信制御部が、上り音声信号パケットを送信停止とする工程を備えたワイヤレスＩＰ電話システムの音声通信方法としたことを特徴とする。
【００２３】
請求項１３記載の発明は、前記ワイヤレスＩＰ電話機において、前記遅延検出工程により伝送遅延発生状態と判断された場合に、前記ワイヤレスＩＰ電話機は、相手側のワイヤレスＩＰ電話機に対して半２重モード開始要求通知を送信する工程と、該通知を受信した相手側のワイヤレスＩＰ電話機は、前記ワイヤレスＩＰ電話機に対して半２重モード開始確認通知を送信してマイク音声信号検出待ちとなる工程と、前記半２重モード開始確認通知を受信した前記ワイヤレスＩＰ電話機は、マイク音声信号検出待ちとなり、その後にマイク音声信号が検出されると、相手側のワイヤレスＩＰ電話機に対してマイク音声信号検出開始通知を送信する工程と、該マイク音声信号検出開始通知を受信した相手側のワイヤレスＩＰ電話機は、スピーカモードとなり、パケット送信制御部により上り音声信号のパケット送信を停止する工程と、前記ワイヤレスＩＰ電話機は、相手側のワイヤレスＩＰ電話機に対してマイク音声信号検出開始通知を送信した後に、上り音声信号のパケット送信停止を解除して、マイクから検出した音声信号を順次、パケット信号に変換し、該変換したパケット信号を相手側のワイヤレスＩＰ電話機に対して送信し、マイク音声信号が未検出となると、相手側ワイヤレスＩＰ電話機に対してマイク音声信号検出終了通知を送信してマイク音声検出待ち状態へ戻る工程と、前記ワイヤレスＩＰ電話機からマイク音声信号検出終了通知を受信した相手側ワイヤレスＩＰ電話機は、スピーカモードからマイク音声検出待ち状態に戻る工程とを備えた請求項１２記載のワイヤレスＩＰ電話システムの音声通信方法としたことを特徴とする。
【００２４】
請求項１４記載の発明は、前記ワイヤレスＩＰ電話機の電波状況が改善し、前記ワイヤレスＩＰ電話機の遅延制御部において、遅延測定用パケットの伝送遅延量が所定値以下に減少し、伝送遅延が回復したと判断された場合に、前記ワイヤレスＩＰ電話機は、相手側のワイヤレスＩＰ電話機に対して半２重モード解除要求通知を送信する工程と、該半２重モード解除要求通知を受信した相手側のワイヤレスＩＰ電話機は、前記ワイヤレスＩＰ電話機に対して半２重モード解除要求確認通知を送信して半２重モードを解除する工程と、前記送信された半２重モード解除要求確認通知を受信した前記ワイヤレスＩＰ電話機は、半２重モードを解除する工程とを備えた請求項１２又は１３に記載のワイヤレスＩＰ電話システムの音声通信方法としたことを特徴とする。
【００２５】
請求項１５記載の発明は、前記上り音声信号パケットの送信時間を、パケット送信時間調整部により調整するパケット送信時間調整工程を更に備えた請求項１２から１４のいずれか１項に記載のワイヤレスＩＰ電話システムの音声通信方法としたことを特徴とする。
【００２６】
請求項１６記載の発明は、前記ワイヤレスＩＰ電話機がトークモードとなった場合に、トークモードランプの点灯又は点滅により、ユーザにトークモードであることを了知させる工程を更に備えた請求項１２から１５のいずれか１項に記載のワイヤレスＩＰ電話システムの音声通信方法としたことを特徴とする。
【発明の効果】
【００２７】
本発明によれば、無線ＬＡＮを利用したワイヤレスＩＰ電話機同士によるエンドツーエンドの通信において、ユーザの通話中に電波状況の悪化によりエコーが発生する場合であっても、ユーザがエコーによる不快感を覚えることなく、常に安定した通話品質を維持することができる。
【発明を実施するための最良の形態】
【００２８】
本発明を実施するための最良の形態は、無線ＬＡＮを利用したワイヤレスＩＰ電話機において、ワイヤレスＩＰ電話機同士によるエンドツーエンドの通話中に、所定時間毎に遅延測定用パケットの伝送遅延量を検出し、該伝送遅延量が所定値以上である場合に、遅延発生状態と判断する遅延検出部と、相手側のワイヤレスＩＰ電話機においてマイク音声信号が検出されたことを確認した場合に、上り音声信号パケットを送信停止とするパケット送信制御部とを設ける。
【００２９】
（第１の実施形態）
以下に、本発明の好適な実施形態を添付図面に基づいて詳細に説明する。尚、以下に述べる実施形態は本発明の好適な具体例であるから、技術的に好ましい種々の限定が付されているが、本発明の範囲は、以下の説明において特に本発明を限定する旨の記載がない限り、これらの実施形態に限られるものではない。
【００３０】
まず、図１を用いて、本実施形態のワイヤレスＩＰ電話機の概略構成及びその機能について説明する。図１は、本実施形態のワイヤレスＩＰ電話機の構成ブロック図である。図１に示すように、本実施形態のワイヤレスＩＰ電話機１５は、マイク１、マイクアンプ２、音声信号検出部３、Ａ／Ｄ変換部４、パケット組立部５、パケット通信制御部６、メイン制御部７、遅延検出部８、アンテナ９、パケット送信制御部１０、パケット分解部１１、Ｄ／Ａ変換部１２、スピーカアンプ１３、及び、スピーカ１４を備えている。
【００３１】
マイク１は、ユーザが発した音声をワイヤレスＩＰ電話機１５に入力する。マイクアンプ２は、入力音声信号の入力値を適当な値に調整するために設けられる。音声信号検出部３は、マイク１からの音声信号を検出する。Ａ／Ｄ変換部４は、マイク１からの上り音声信号をアナログ信号からデジタル信号に変換し、データ圧縮を行う。
また、パケット組立部５は、Ａ／Ｄ変換部４により変換されたデジタル信号を基に、音声信号パケットを組み立てる。パケット送信制御部６は、相手側のワイヤレスＩＰ電話機において、遅延発生状態と判断され、マイク音声信号が検出されたことを確認した場合に、上り音声信号パケットを送信停止とする。
【００３２】
また、メイン制御部７は、ワイヤレスＩＰ電話機の各部の制御、及びＩＰ電話呼接続処理を行う。遅延検出部８は、遅延測定用パケットの伝送遅延量を検出し、該遅延量が所定値以上に増加した場合に、遅延発生状態と判断する。アンテナ９は、ＩＰ網を介して相手側のワイヤレスＩＰ電話機に対して音声信号パケットを送受信するものである。また、パケット通信制御部１０は、ＩＰ電話網との呼接続及びデータ通信を行う。パケット分解部１１は、送信されてきた音声信号パケット分解し、デジタル信号に変換する。Ｄ／Ａ変換部１２は、データ圧縮された相手側からの下り音声信号をデジタル信号からアナログ信号に変換する。スピーカアンプ１３は、出力音声信号の出力値を適当な値に調整するために設けられる。スピーカ１４は、相手側のユーザが発した音声を出力する。
【００３３】
次に、無線状態の悪化により音声信号パケットの伝送経路における遅延が増加した場合に、遅延検出部８が、遅延測定用パケットの伝送遅延量を検出し、遅延発生状態と判断するまでの本実施形態のワイヤレスＩＰ電話機の動作について、図１、図２、図３を用いて以下に詳細に説明する。図２は、図１に示す遅延検出部８の構成ブロックである。遅延検出部８は、図２に示すように、データ出力部１０１、時計部１０２、ヘッダ生成部１０３、パケット組立部１０４、パケット分解部１０５、及び、計算部１０６を備えている。また、図３は、図２に示す遅延検出部８が、遅延測定用パケットの伝送経路における遅延量を算出する方法を説明するためのフローチャートである。
【００３４】
まず、図３に示すように、図１に示す本実施形態のワイヤレスＩＰ電話機１５がユーザにより通話中である場合において、ここでは図示しないタイマーにより所定時間経過毎に（ステップ１０１）、図２に示すデータ出力部１０１は、パケット組立部１０４に対して、遅延測定データを出力する（ステップ１０２）。そして同時に、ヘッダ生成部１０３は、上記遅延測定データの出力時間のタイムスタンプを図２に示す時計部１０２から獲得し、該タイムスタンプをヘッダに格納する（ステップ１０３）。
【００３５】
続いて、図２に示すヘッダ生成部１０３は、上記タイムスタンプを格納されたヘッダを、図２に示すパケット組立部１０４に送る。そして、パケット組立部１０４は、上記ヘッダ生成部１０３から送られてきたヘッダを、上記データ出力部１０１から送られてきた遅延測定データに付加し、遅延測定用パケットに組み立て、図１に示すパケット通信制御部１０により組み立てられた遅延測定用パケットを、通信中の相手側のワイヤレスＩＰ電話機に対して送信する（ステップ１０５）。
【００３６】
続いて、相手側のワイヤレスＩＰ電話機に設けられている図示しない折り返し部において、送られてきた遅延測定用パケットから、上記タイムスタンプが取り出され、返信用の音声信号パケットのヘッダ部に格納され、ワイヤレスＩＰ電話機１５に対して、該返信用の遅延測定用パケットが返信される。
【００３７】
なお、本実施形態のワイヤレスＩＰ電話機１５にも、図示しないが遅延検出部８に折り返し部が設けられており、該折り返し部は、相手側のワイヤレスＩＰ電話機から送られてきた遅延測定用パケットを受け取り、返信用の遅延測定用パケットを相手側のＩＰ電話機に対して返信する。
【００３８】
続いて、返信用の遅延測定用パケットが、相手側のワイヤレスＩＰ電話機から折り返してきたら（ステップ１０６のＹＥＳ）、図２に示すパケット分解部１０５が、受け取った返信用の遅延測定用パケットを分解して、ヘッダからタイムスタンプを抽出し（ステップ１０８）、該抽出したタイムスタンプを計算部１０６に送る。そして、図２に示す計算部１０６は、前記送られてきたタイムスタンプと、上記返信用の遅延測定用パケットを受信した時刻との差分を計算して、伝送遅延量を算出する（ステップ１０９）。
【００３９】
以上説明したように、本実施形態のワイヤレスＩＰ電話機１５に設けられた遅延検出部８は、ユーザが通話中において、所定時間毎に遅延測定用パケットの伝送遅延量を検出するよう動作をする。そして、遅延検出部８では、検出された遅延測定用パケットの伝送遅延量が、許容範囲を越えて増加した場合に、伝送遅延が発生したと判断する。
【００４０】
次に、上述したように、本実施形態のワイヤレスＩＰ電話機１５における遅延検出部８により伝送遅延が発生したと判断された場合に、ワイヤレスＩＰ電話機１５が、全２重通信（通常の双方向電話機の通信方式）から擬似的な半２重通信（片方向の無線機のような通話方式）への切り替え動作を行う場合の動作内容について図１、図４を用いて以下に詳細に説明する。
【００４１】
図４は、本実施形態のワイヤレスＩＰ電話機１５が、全２重通信から擬似的な半２重通信への切り替え動作を行う場合の動作内容について説明するための図である。なお、図４では、端末１（本実施形態のワイヤレスＩＰ電話機１５）と端末２（相手側の本実施形態のワイヤレスＩＰ電話機１５）との間で通信が行われる場合を想定している。
【００４２】
まず、図４に示すように、端末１の遅延制御部８（図１参照。）において、遅延測定用パケットの伝送遅延量が、所定値以上に増加し、伝送遅延が発生したと判断された場合（ステップ２０１）、端末１は、相手側の端末２に対して、半２重モード開始要求通知を送信する（ステップ２０２）。この半２重モード開始要求通知を相手側の端末２が受信すると、端末２は、半２重モード開始確認通知を、端末１に対して送信し（ステップ２０３）、マイク音声信号検出待ち（スピーカモード）となる（ステップ２０４）。
【００４３】
同様に、端末１は、端末２からの半２重モード開始確認通知を受信すると、マイク音声信号検出待ち（スピーカモード）となる（ステップ２０５）。なお、スピーカモードでは、図１に示すパケット送信制御部６により、上り音声信号パケット送信が停止された状態となる。続いて、端末１において、マイク音声信号が検出されると、端末１は、マイク音声信号検出開始通知を、端末２に対して送信する（ステップ２０６）。端末２は、端末１から受信した前記マイク音声信号検出開始通知を受信すると、図１に示す音声信号検出部３により、音声信号の検出を停止する（ステップ２０７）。
【００４４】
続いて、端末１は、マイク音声信号検出開始通知を端末２に対して送信した後に、トークモードなり（ステップ２０８）、それまで、上り音声信号のパケット送信を停止していたのを解除して、マイク１から検出した音声信号を、Ａ／Ｄ変換部４、パケット組み立て部５等により、順次、音声信号パケットに変換し、端末２に対して送信する（ステップ２０９）。次に、端末１は、マイク音声信号が未検出となると、マイク音声信号検出終了通知を端末２に対して送信し（ステップ２１０）、マイク音声検出待ち状態へ戻る（ステップ２１１）。同様に、端末２は、端末１からマイク音声信号検出終了通知を受信すると、スピーカモードからマイク音声検出待ち状態に戻る（ステップ２１２）。
【００４５】
以上説明したように、本実施形態のワイヤレスＩＰ電話機１５によれば、ユーザの通話中に、電波状況の悪化により伝送遅延が発生した場合に、相手側のワイヤレスＩＰ電話のパケット送信制御部６が、上り音声信号のパケット送信を停止することにより、通常の全２重通信から擬似的な半２重通信へ通信方式の形態に切り替えられ、音声信号パケットの送信は片方向のみとなるため、相手側のワイヤレスＩＰ電話機のマイクが受信音声の一部を拾い、そのまま本実施形態のワイヤレスＩＰ電話機１５に逆伝送されることに起因するエコーの発生を防止する効果を得ることができる。
【００４６】
次に、本実施形態のワイヤレスＩＰ電話機１５が、上述した擬似的な半２重通信への切り替え動作を行った後に電波状況が改善した場合、半２重通信を解除して、全２重通信への切り替え動作の内容について、図１、主に図５を用いて以下に詳細に説明する。図５は、本実施形態のワイヤレスＩＰ電話機１５における、擬似的な半２重通信から全２重通信への切り替え動作の内容について説明するためのシーケンス図である。なお、図５では、端末１（本実施形態のワイヤレスＩＰ電話機１５）と端末２（相手側の本実施形態のワイヤレスＩＰ電話機１５）との間で通信が行われる場合を想定している。
【００４７】
まず、図５に示すように、端末１の電波状況が改善し、端末１の遅延制御部８（図１参照。）において、遅延測定用パケットの伝送遅延量が、所定値以下に減少し、伝送遅延が回復したと判断された場合（ステップ３０１）、端末１は、相手側の端末２に対して、半２重モード解除要求通知を送信する（ステップ３０２）。この半２重モード解除要求通知を受信した相手側の端末２は、端末１に対して、半２重モード解除要求確認通知を送信し（ステップ３０３）、半２重モードを解除し通常の全２重モードとなる（ステップ３０４）。続いて、端末１は、端末２から送信された半２重モード解除要求確認通知を受信すると、半２重モードを解除し、通常の全２重モードとなる（ステップ３０５）。
【００４８】
（第２の実施形態）
本実施形態は、図１に示す第１の実施形態におけるワイヤレスＩＰ電話機１５の変形例である。図８は、本実施形態のワイヤレスＩＰ電話機１５の構成ブロック図である。本実施形態のワイヤレスＩＰ電話機１５は、図１に示す第１の実施形態におけるワイヤレスＩＰ電話機１５の構成に加えて、図８に示すように、パケット送信時間調整部１７を設けたことを特徴とするものである。
【００４９】
ここで、図１、図４、主に、図６、図７を用いて、本実施形態のワイヤレスＩＰ電話機１５において、マイク１から入力された音声信号が音声信号パケットとして送信されるまでの動作内容について詳細に説明する。図６は、図１に示す本実施形態のワイヤレスＩＰ電話機１５（図４では端末１）において、マイク１から入力された音声信号が音声信号パケットとして送信されるまでの動作内容について説明するための第１のタイミングチャートである。図７は、図１に示す本実施形態のワイヤレスＩＰ電話機１５（図４では端末１）において、マイク１から入力された音声信号が音声信号パケットとして送信されるまでの動作内容について説明するための第２のタイミングチャートである。
【００５０】
まず、図６に示すように、時間Ｔ１は、ユーザがしゃべりはじめ、図４に示す端末１のマイク１から音声信号Ｓが入力され、音声信号検出部３において、音声信号が検出されるまでに必要な時間である（図１参照。）。そして、前記音声信号検出部３において、音声信号が検出されると、端末１は、端末２に対して、マイク音声信号検出開始通知を送信して（図４：ステップ２０６）、図６に示すマイク音声検出中Ｓ１となる。
【００５１】
時間Ｔ２は、端末１が上記マイク音声信号検出開始通知を送信した後に、メイン制御部７が端末１をスピーカモードからトークモードＳ２に切り替えるまでに必要な時間である。時間Ｔ３は、端末１が、上述したトークモードに切り替った後に、上り音声信号パケット送信停止解除状態Ｓ３となるまでに必要な時間である。なお、上り音声信号パケット送信停止解除状態Ｓ３となると、端末１は、音声信号パケットの送信を開始する。
【００５２】
処理時間Ｔ４は、ワイヤレスＩＰ電話機１５において、ユーザの発した音声が、音声信号Ｓとして入力され、Ａ／Ｄ変換部４によりアナログ信号からデジタル信号に変換され、データ圧縮が行われ、パケット組立部５によりパケットに組み立てられて、送信バッファキューイングされた後に、パケット通信制御部１０から相手側のワイヤレスＩＰ電話機１５に送信されるまでに必要な時間である（図１参照。）。
【００５３】
ここで、図６に示すように、時間Ｔ３が時間Ｔ４より短時間である場合は、上り音声パケット送信停止解除状態Ｓ３となった後に、音声信号パケットの送信が可能となるため（Ｓ４）、ユーザがしゃべりはじめ、端末１のマイク１から入力された音声信号Ｓは、全て音声信号パケットとして、相手側の端末２に送信される。このため、ユーザのしゃべった音声は、全て端末２に送信され、相手側はユーザの通話内容を全て聞き取ることができる。
【００５４】
しかし、図７に示すように、時間Ｔ３が時間Ｔ４より長時間である場合は、上り音声パケット送信停止解除状態Ｓ３となる前に、音声信号パケットの送信が可能となるため（Ｓ４）、図７に示す時間Ｔ５の分だけ、端末１のマイク１から入力された音声信号Ｓの先頭信号分の音声信号パケットは、相手側の端末２に送信されないことになる。よって、この場合は、ユーザのしゃべりはじめの音声が欠けることになり、相手側は、ユーザ発した音声を、ユーザがしゃべりはじめてから時間Ｔ５経過した後から聞くことになるので問題となる。
【００５５】
この問題を解決するために、本実施形態のワイヤレスＩＰ電話機１５では、図６に示すように時間Ｔ３が時間Ｔ４より短時間となるように、時間Ｔ４を調整するためのパケット送信時間調整部１７を設ける（図８参照。）。これにより、ワイヤレスＩＰ電話機１５は、常に、上り音声パケット送信停止解除状態Ｓ３となった後に、音声信号パケットの送信が可能となるよう動作する（Ｓ４）。よって、ユーザにより端末１に入力された音声信号Ｓは、全て音声信号パケットとして相手側の端末２に送信されるため、相手側はユーザの通話内容を全て聞き取ることが可能となる。
【００５６】
（第３の実施形態）
本実施形態は、図１に示す第１の実施形態におけるワイヤレスＩＰ電話機１５の変形例である。図９は、本実施形態のワイヤレスＩＰ電話機１５の構成ブロック図である。本実施形態のワイヤレスＩＰ電話機１５は、図１に示す第１の実施形態におけるワイヤレスＩＰ電話機１５の構成に加えて、図９に示すように、トークモードランプ１６を設けたことを特徴とするものである。このトークモードランプ１６は、ユーザが通話中において、自己のワイヤレスＩＰ電話機１５がトークモードにあるか否かを確認するために設けられる。
【図面の簡単な説明】
【００５７】
【図１】本発明を適用した第１の実施形態におけるワイヤレスＩＰ電話機の構成ブロック図である。
【図２】本実施形態のワイヤレスＩＰ電話機に設けられた遅延検出部の構成ブロック図である。
【図３】本実施形態のワイヤレスＩＰ電話機に設けられた遅延検出部により、遅延測定用パケットの伝送経路における遅延量を算出する方法を説明するためのフローチャートである。
【図４】本実施形態のワイヤレスＩＰ電話機が、全２重通信から擬似的な半２重通信への切り替え動作を行う場合の動作内容について説明するためのシーケンス図である。
【図５】本実施形態のワイヤレスＩＰ電話機が、擬似的な半２重通信から全２重通信への切り替え動作を行う場合の動作内容について説明するためのシーケンス図である。
【図６】本実施形態のワイヤレスＩＰ電話機において、マイクから入力された音声信号が音声信号パケットとして送信されるまでの動作について説明するための第１のタイミングチャートである。
【図７】本実施形態のワイヤレスＩＰ電話機において、マイクから入力された音声信号が音声信号パケットとして送信されるまでの動作について説明するための第２のタイミングチャートである。
【図８】本発明を適用した第２の実施形態におけるワイヤレスＩＰ電話機の構成ブロック図である。
【図９】本発明を適用した第３の実施形態におけるワイヤレスＩＰ電話機の構成ブロック図である。
【符号の説明】
【００５８】
１    マイク
２    マイクアンプ
３    音声信号検出部
４    Ａ／Ｄ変換部
５    パケット組立部
６    パケット送信制御部
７    メイン制御部
８    遅延検出部
９    アンテナ
１０    パケット通信制御部
１１    パケット分解部
１２    Ｄ／Ａ変換部
１３    スピーカアンプ
１４    スピーカ
１５    ワイヤレスＩＰ電話
１６    トークモードランプ
１７    パケット送信時間調整部
１０１    データ出力部
１０２    時計部
１０３    ヘッダ生成部
１０４    パケット組立部
１０５    パケット分解部
１０６    計算部
【図１】
2006041617.tif 000003
【図２】
2006041617.tif 000004
【図３】
2006041617.tif 000005
【図４】
2006041617.tif 000006
【図５】
2006041617.tif 000007
【図６】
2006041617.tif 000008
【図７】
2006041617.tif 000009
【図８】
2006041617.tif 000010
【図９】
2006041617.tif 000011